(57)【特許請求の範囲】
【請求項１】
複数国の通貨で取引を行うことが出来る自動取引装置において、
顧客の取引操作を誘導する画面を表示する表示手段と、
通貨投入取出口に投入された通貨の鑑別を行う鑑別手段とを有し、
前記通貨投入取出口に通貨が投入されると、前記鑑別手段は、前記投入された通貨のうちの第１の通貨を鑑別し、
前記鑑別手段による鑑別の結果、前記第１の通貨以外の通貨を前記通貨投入取出口に返却し、
前記表示手段に前記返却された通貨を投入するように促す通貨投入誘導画面を表示し、
前記鑑別手段は、前記通貨投入誘導画面の表示を契機として、鑑別不能な第２の通貨を鑑別可能としてから、投入された通貨のうちの前記第２の通貨を鑑別することを特徴とする自動取引装置。
【請求項２】
前記表示手段は、前記鑑別手段が前記第２の通貨を鑑別した後、前記第１の通貨の金額と前記第２の通貨の金額とを有する入金金額確認画面を表示することを特徴とする請求項１に記載の自動取引装置。
【請求項３】
前記第２の通貨の鑑別の結果、前記第２の通貨以外の通貨がある場合、前記第２の通貨以外の通貨を前記通貨投入取出口に返却することを特徴とする請求項１又は２に記載の自動取引装置。
【請求項４】
前記鑑別手段による鑑別の結果、前記第１の通貨及び前記第２の通貨の入金処理を行うことを特徴とする請求項１〜３のいずれか１項に記載の自動取引装置。
【請求項５】
前記第１の通貨及び前記第２の通貨のうち、前記顧客の口座で使用する通貨ではない通貨に関し、前記顧客の口座で使用する通貨に換算してから入金金額の合計を前記表示手段に表示し、
前記顧客の口座に入金処理を行うことを特徴とする請求項４に記載の自動取引装置。
【請求項６】
前記表示手段は、前記鑑別手段が鑑別した前記第１の通貨及び前記第２の通貨の投入金額をそれぞれの通貨で表示し、入金金額の合計は前記顧客の口座で使用する通貨に換算してから表示することを特徴とする請求項５に記載の自動取引装置。
【請求項７】
前記第１の通貨を鑑別する際に、前記第１の通貨以外の通貨の特徴情報を取得し、前記第１の通貨以外の通貨の特徴情報と記憶手段に保持している複数の国の通貨の特徴情報とを比較し、前記第１の通貨以外の通貨の種類を特定する鑑別特定手段と、
前記鑑別特定手段が特定した前記第１の通貨以外の通貨の種類に関する鑑別情報を、この鑑別情報が記憶されている記憶手段に対して要求する要求手段とを有し、
前記鑑別手段は、前記要求手段が要求した鑑別情報に基づいて前記第２の通貨を鑑別可能とすることを特徴とする請求項１〜６のいずれか１項に記載の自動取引装置。
【発明の詳細な説明】
【技術分野】
【０００１】
本発明は、現金自動預け払い機（以下「ＡＴＭ」という。）等の自動取引装置に関し、特に外国通貨の取り扱い機能を有する多国通貨対応の自動取引装置に関するものである。
【背景技術】
【０００２】
従来、金融機関やコンビニエンスストア等に設置されるＡＴＭ等の自動取引装置においては、一国の通貨のみ鑑別可能となっており、装置の設置国の通貨のみ入金及び出金等の各種現金を扱う取引を行うようになっている。
【０００３】
このような多国通貨に対応しており、入金する通貨を顧客操作で選択できる自動取引装置に関する技術は、例えば、次のような文献に記載されている。
【先行技術文献】
【特許文献】
【０００４】
【特許文献１】特開平１１−１４４１２２号公報
【発明の概要】
【発明が解決しようとする課題】
【０００５】
しかしながら、日本において、外国からの旅行者、又ビジネスや留学等の長期滞在者が増加しているが、自動取引装置の多国通貨対応が進んでおらず、滞在中の外国人にとって不便であるという課題がある。更に、特許文献１の技術においては利用者による通貨選択操作が必要となるため、利用者が通貨の種類を意識しなければならない。又１回の取引で、単一国の通貨しか入金できず、複数国の通貨が混在していた場合には、それぞれの通貨に分けて入金取引をする必要があり、操作が煩雑になるという課題があった。
【課題を解決するための手段】
【０００６】
本発明は、複数国の通貨で取引を行うことが出来る自動取引装置において、顧客の取引操作を誘導する画面を表示する表示手段と、通貨投入取出口に投入された通貨の鑑別を行う鑑別手段とを有し、前記通貨投入取出口に通貨が投入されると、前記鑑別手段は、前記投入された通貨のうちの第１の通貨を鑑別し、前記鑑別手段による鑑別の結果、前記第１の通貨以外の通貨を前記通貨投入取出口に返却し、前記表示手段に前記返却された通貨を投入するように促す通貨投入誘導画面を表示し、前記鑑別手段は、前記通貨投入誘導画面の表示を契機として、鑑別不能な第２の通貨を鑑別可能としてから、投入された通貨のうちの前記第２の通貨を鑑別することを特徴とする。
【発明の効果】
【０００８】
本発明の自動取引装置によれば、次の（１）及び（２）のような効果がある。
【０００９】
（１）  自動取引装置に複数の紙幣鑑別情報を持たなくとも、例えば、情報処理装置等に複数の第２の通貨の鑑別情報を持つことで、第１の通貨と第２の通貨が混在した通貨の入金取引が可能となる。
【００１０】
（２）  顧客である利用者は取引する第１の通貨又は第２の通貨を選択せずに入金取引が行えるため、通貨の種類を意識せずに取引が可能となり、煩雑な操作をしなくてもよい。
【図面の簡単な説明】
【００１４】
【図１】図１は本発明の実施例１における自動取引システムの概略を示す構成図である。
【図２】図２は図１中のホストコンピュータにおける口座ファイルの構成例を示す説明図である。
【図３】図３は図１中のＡＴＭの機能ブロック図である。
【図４】図４は図３のＡＴＭにおける入金取引を示すフローチャートである。
【図５】図５は図４で示す入金取引における入金金額確認画面例を示す図である。
【図６】図６は図４で示す入金取引における明細票印字例を示す図である。
【図７】図７は本発明の実施例２におけるＡＴＭの機能ブロック図である。
【図８】図８は図７のＡＴＭにおける入金取引を示すフローチャートである。
【図９】図９は本発明の実施例３におけるＡＴＭの機能ブロック図である。
【図１０】図１０は図９のＡＴＭにおける入金取引を示すフローチャートである。
【発明を実施するための形態】
【００１５】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１６】
（実施例１の自動取引システムの構成）
図１は、本発明の実施例１における自動取引システムの概略を示す構成図であり、図２は、図１中のホストコンピュータにおける口座ファイルの構成例を示す説明図である。
【００１７】
金融機関の店舗やコンビニエンスストアには自動取引装置として、例えば、複数のＡＴＭ１０（＝１０−１〜１０−Ｎ）が設置され、利用者の操作により、預入れ、引出し、振込、残高照会等の各種取引が可能になっている。ＡＴＭ１０は、通信回線２を介して外部の情報処理装置であるホストコンピュータ１に接続されている。ホストコンピュータ１は、通常、金融機関のセンタに設置され、その補助記憶装置２０内に顧客情報ファイルや口座ファイル２１を有している。
【００１８】
利用者がＡＴＭ１０で、例えば現金の入出金を伴う取引を行うと、ホストコンピュータ１では、当該の口座ファイル２１の情報を更新する。口座ファイル２１は、図２に示すように口座番号に対応して、暗証番号、顧客の氏名、現残高、及び取引の履歴を記録した取引データが記憶されて構成されている。
【００１９】
本実施例１においては、更に、ホストコンピュータ１の補助記憶装置２０に、第２の通貨（例えば、外国紙幣）を鑑別するための鑑別情報（例えば、鑑別プログラム）２２を有している。ここで、通貨とは、中央銀行等の発行主体によって発行された現金通貨をいい、現金通貨には、紙幣と硬貨とがある。実施例１においては、通貨として紙幣を例に説明する。
【００２０】
図３は、図１中のＡＴＭの機能ブロック図である。
ＡＴＭ１０は、制御部３１と記憶部３２を備えている。制御部３１は、プログラム制御によりＡＴＭ１０全体を制御するものである。制御部３１は、第１の通貨発行主体（例えば、日本銀行）が発行する第１の通貨（例えば、円紙幣）に関し、ＡＴＭ１０で取引される紙幣の真偽を鑑別する鑑別手段３１ａと、鑑別手段３１ａにより偽と鑑別された紙幣の特徴情報を抽出し、この特徴情報と記憶部３２内の第１の記憶手段に保持している外国通貨の特徴情報とを比較して鑑別し、第２の通貨発行主体（例えば、外国の中央銀行）の発行する外国通貨を特定する鑑別特定手段３１ｂと、外国通貨の真偽を鑑別する鑑別プログラム２２をホストコンピュータ１に対して要求する要求手段３１ｃとを有している。
【００２１】
制御部３１により制御される入力操作部１１は、文字や図形等で構成される操作画面を表示する表示手段である図示しない液晶（ＬＣＤ）画面の表示部と、この表示部上に設けられた情報入力のためのタッチパネル入力部とから構成されている。ＡＴＭ１０の前面には、利用者が取引操作時に紙幣を投入し、且つＡＴＭ１０が放出した紙幣を利用者が取り出すための、接客口である通貨投入取出口としての紙幣投入取出口１２が設けられている。
【００２２】
この紙幣投入取出口１２には、異物がこれに混入することを防ぐためと防犯上の観点からシャッタ１３が設けられており、必要なタイミングで開閉するように構成されている。例えば、入金取引では、利用者が取引を選択するとシャッタ１３が開き、紙幣の投入を促すようになっている。利用者が紙幣を投入するとシャッタ１３が閉まり、ＡＴＭ１０は、紙幣の計数を行い入金額の確認を利用者に促す。
【００２３】
カードリーダプリンタ部３４は、図示しないカード取扱口に挿入されたキャッシュカード（以下「カード」という。）の内容を読み取り／書き込みしてカード取扱口に排出する機能及び明細票等を印字してカード取扱口に排出する機能を有している。紙幣入出金部３５は、入金処理においては、紙幣投入取出口１２にセットされた紙幣を取り込み、紙幣の真偽を鑑別し、計数してＡＴＭ１０内の図示しない収納庫に格納し、出金処理においては、収納庫から紙幣を取出し、紙幣の真偽を鑑別し、計数して紙幣投入取出口１２に排出する機能を有している。監視カメラ部３６は、図示しないカメラを制御して取引中の利用者を撮影し、その画像を保管する。
【００２４】
一時保留部３７は、リジェクトされた紙幣を一時保留する機構であり、リジェクトされた紙幣は、利用者がその確認を行うため搬送路３８を介して紙幣投入取出口１２に戻される。なお、通常、入金取引においては、図示しないが紙幣入出金部３５により紙幣の真偽を鑑別し、計数された紙幣を一時的に保留する別の保留部が存在する。別の一時保留部に保留された紙幣は、紙幣入出金部３５が計数した入金額を入力操作部１１に表示して利用者による確認操作を待ってからＡＴＭ１０内の図示しない収納庫に格納される。通信部３３は、ホストコンピュータ１や監視センタとの通信を制御する機能を有している。
【００２５】
ＡＴＭ１０は、更に、図示しないが、制御部３１により制御される近接センサ、通帳記帳部、硬貨入出金部、及び音声出力部等を有している。近接センサは、ＡＴＭ１０への人の接近を検知するセンサである。通帳記帳部は、通帳の記帳処理を行うものである。硬貨入出金部は、硬貨の真贋を鑑別し、計数し、入出金処理を行うものである。
【００２６】
（実施例１の動作）
図４は、図３のＡＴＭにおける入金取引を示すフローチャートであり、図５は、図４で示す入金取引における入金金額確認画面例を示す図、及び、図６は、図４で示す入金取引における明細票印字例を示す図である。
【００２７】
本実施例１では、入金取引において、円紙幣に関し、鑑別手段３１ａにより紙幣鑑別を行う。その結果、偽とされた紙幣、即ちリジェクトされた紙幣の特徴情報を用いて鑑別特定手段３１ｂにより、その紙幣の種類を特定し、ホストコンピュータ１に、該当する鑑別プログラム２２の転送を要求する。ホストコンピュータ１から鑑別プログラム２２を受信し、外国の中央銀行の発行する外国紙幣の鑑別をＡＴＭ１０で行う。
【００２８】
なお、本実施例１において、ＡＴＭ１０は、円の鑑別プログラム２２を持っており、初期状態では、円以外の鑑別はできないものとする。又、鑑別プログラム２２は、紙幣鑑別のための手続き部分（プログラム）の他に、鑑別に必要なデータも有している。
【００２９】
ＡＴＭ１０に電源が投入され処理が開始される。ステップＳ１において、利用者がカードを投入口に投入すると、ＡＴＭ１０は、カードの磁気ストライプ等に記録された口座番号を読取り、ステップＳ２において、取引選択画面を表示する。ステップＳ３において、利用者により入金取引が選択され、ステップＳ４において、利用者識別子（ＩＤ）入力画面（例えば、暗証番号入力画面）が表示される。ステップＳ５において、利用者によりＩＤ番号（例えば、暗証番号）が入力され、カードから読取った口座番号等とともに照会電文としてホストコンピュータ１に送信される。
【００３０】
ここで、ステップＳ１〜Ｓ３において、カードを読み取ってから入金取引を選択するように説明したが、始めに、取引選択画面を表示し、入金取引を選択してからカード挿入を行って、カードを読み取るようにしてもよい。又、ステップＳ４〜Ｓ６のＩＤ番号による本人確認処理は、セキュリティ強化のための処理であり、例えば、外国紙幣の偽札入力の予防、牽制の効果を意図している。
【００３１】
ステップＳ６において、ホストコンピュータ１から照会電文の回答を受信する。ステップＳ７において、ホストコンピュータ１での本人確認が成立したときは、ステップＳ８において、通貨投入誘導画面である紙幣投入誘導画面を表示し、利用者に対し、紙幣投入取出口１２への紙幣の投入を促す。ステップＳ７で、取消ボタンが押下されたときは、ステップＳ２３において、入力操作部１１の表示画面を取引選択画面に戻す等の終了処理を行い、入金処理を終了する。
【００３２】
ステップＳ９において、利用者が紙幣投入取出口１２に紙幣を投入する。ステップＳ１０において、投入された紙幣が、最初の投入か、又は一度、紙幣の計数が行われてリジェクトされた紙幣かが判定される。最初の紙幣投入であったときは（Ｎｏ）、ステップ１４へ進み、鑑別手段３１ａにより円紙幣用の鑑別プログラム２２を用いて紙幣の計数が行われる。ステップＳ１５において、偽券としてリジェクトされた紙幣がない場合は（Ｎｏ）、ステップＳ１８へ進む。
【００３３】
ステップＳ１５において、リジェクトされた紙幣がある場合は（Ｙｅｓ）、リジェクトされた紙幣は、一旦一時保留部３７に保留され、搬送路３８を介して紙幣投入取出口１２へ戻される。ステップＳ１６において、返却紙幣受取画面を表示して利用者に紙幣を受取らせる。ステップＳ８へ戻り、紙幣投入誘導画面を表示し、利用者に再投入を促す。ステップＳ９において、利用者が紙幣を再投入する。ステップ１０において、紙幣が再投入か否かが判定される。この場合は、再投入なのでステップＳ１１へ進む。ステップＳ１１において、再投入された紙幣に合致した鑑別プログラム２２で再計数を行うため、鑑別特定手段３１ｂにより、リジェクト時に取得した紙幣の情報から、紙幣サイズや特徴等の簡易判別を行い、最も近いと思われる紙幣を特定する。ステップＳ１２において、特定した紙幣に対応する鑑別プログラム２２をホストコンピュータ１に要求する。
【００３４】
ステップＳ１３において、ＡＴＭ１０は、ホストコンピュータ１から、鑑別プログラム２２を受信する。ステップＳ１４において、ホストコンピュータ１から受信した鑑別プログラム２２を使用して計数を行う。ステップＳ１５において、リジェクト紙幣の有無が判定される。リジェクト紙幣がありのときは、ステップＳ１６の返却紙幣受取画面の表示処理、ステップＳ１７のリジェクト紙幣受取処理、及びステップＳ８の紙幣投入誘導画面表示処理が実行される。
【００３５】
利用者は、紙幣投入誘導画面により紙幣の投入を促されるが、２度目のリジェクト処理なので、通常は、図示しない紙幣投入誘導画面に表示されているボタンを操作することにより、正常入力された紙幣のみを入金する処理を行う。
【００３６】
ステップＳ１５において、リジェクト紙幣がないときは（Ｎｏ）、ステップＳ１８へ進む。
【００３７】
ステップＳ１８において、図５に示す入金金額確認画面が表示され、利用者の確認を促す。図５の例では、利用者の投入金額が１００ドルと５万円で、為替レートが１００円／ドルなので、入金金額合計が６万円であることが表示される。なお、為替レートのＴＴＢ（Ｔｅｌｅｇｒａｐｈｉｃ  Ｔｒａｎｓｆｅｒ  Ｂｕｙｉｎｇ）とは、銀行が顧客から外貨を購入するときのレートで米ドルの場合、仲値から１円引いたレートになる。
【００３８】
ステップＳ１９において、利用者は、表示内容の確認ができたときは、確認ボタン１１ａを押下する。ステップＳ２０において、ＡＴＭ１０は、ホストコンピュータ１に計数結果を通知し、ホストコンピュータ１は、入金金額をその口座で使用する通貨に換算し、口座ファイル２１の該当のデータを更新するとともにＡＴＭ１０に取引成立を通知する。
【００３９】
ステップＳ２１において、ＡＴＭ１０のカードリーダプリンタ部３４は、図６に示すように明細票に銀行番号、店番号、取引金額等の取引内容を印字し、カードと明細票を排出する。
【００４０】
（実施例１の効果）
本実施例１によれば、次の（１）〜（５）のような効果がある。
【００４１】
（１）  ＡＴＭ１０に複数の紙幣鑑別プログラム２２を持たなくとも、ホストコンピュータ１に複数紙幣の鑑別プログラム２２を持つことで円紙幣と外国紙幣とが混在した入金取引が可能となる。
【００４２】
（２）  利用者は取引する紙幣を選択せずに入金取引が行えるため、円紙幣や外国紙幣を意識せずに取引が可能となり、煩雑な操作をしなくてもよい。
【００４３】
（３）  ＡＴＭ１０のメモリ容量に制限されることなく、複数種類の外国紙幣の鑑別が可能となる。
【００４４】
（４）  ＡＴＭ１０を改造することなく、紙幣の鑑別プログラム２２を変更することができる。
【００４５】
（５）  本実施例１のサービスを実施することで他の金融機関との差別化を図ることができ、外国人の利用者が増加することにより手数料収入の増加が期待できる。
【実施例２】
【００４６】
（実施例２の構成）
図７は、本発明の実施例２におけるＡＴＭ１０Ａの機能ブロック図であり、実施例１を示す図３中の要素と共通の要素には共通の符号が付されている。
【００４７】
本実施例２におけるＡＴＭ１０Ａでは、実施例１のＡＴＭ１０の構成とほぼ同様の構成であるが、記憶部３２の第２の記憶手段に外国紙幣の真偽を鑑別するための複数の鑑別プログラム２２が記憶されており、更に制御部３１Ａに、特定の外国紙幣の真偽を鑑別するための鑑別プログラム２２が記憶部３２に保持されているか否かを判定する判定手段３１ｄが追加されている点が異なっている。
【００４８】
（実施例２の動作）
本実施例２では、ＡＴＭ１０Ａ内に外国紙幣の鑑別プログラム２２を保持しているが、リジェクトされた外国紙幣に対応する鑑別プログラム２２がないときは、ホストコンピュータ１から鑑別プログラム２２をＡＴＭ１０Ａに転送する。
【００４９】
ＡＴＭ１０Ａは、複数の鑑別プログラム２２を持っているが、その実行は、背反の制御となっており、１度の計数で複数紙幣の鑑別はできないものとする。例えば円の鑑別プログラム２２とドルの鑑別プログラム２２を持っているが、１度の計数では円の鑑別プログラム２２、又はドルの鑑別プログラム２２のどちらか一方しか鑑別できない。ＡＴＭ１０Ａの保有する鑑別プログラム２２の数はメモリ容量により制限される。
【００５０】
図８は、図７のＡＴＭにおける入金取引を示すフローチャートであり、実施例１を示す図４中の要素と共通の要素には共通の符号が付されている。
【００５１】
本実施例２における処理例を、図８に基づいて説明する。
実施例１と同様のステップＳ１のカード挿入処理、ステップＳ２の取引選択画面表示処理、ステップＳ３の入金取引選択処理、ステップＳ４のＩＤ入力画面表示処理、ステップＳ５のＩＤ番号入力処理、照会電文送受信処理、ステップＳ７の取引取消判定処理、ステップＳ８の紙幣投入誘導画面表示処理、ステップＳ９の紙幣投入処理、ステップＳ１０の再投入判定処理、及びステップＳ１１のリジェクトされた外国紙幣の特定処理が実行される。
【００５２】
ステップＳ３１において、前記の特定した外国紙幣の真偽を鑑別するための鑑別プログラム２２が記憶部３２に保持されているか否かが判定手段３１ｄにより判定される。ステップＳ３１における判定の結果、特定した外国紙幣の鑑別プログラム２２が記憶部３２に保持されている場合は（Ｙｅｓ）、その鑑別プログラム２２を、使用する鑑別プログラム２２に切換えてステップＳ１４へ進む。判定の結果、持っていない場合は（Ｎｏ）、ステップＳ１２へ進み、ステップＳ１２において、ホストコンピュータ１に、その紙幣の鑑別プログラム２２を要求する。ステップＳ３３において、ＡＴＭ１０Ａは、ホストコンピュータ１から鑑別プログラム２２を受信し、記憶部３２内の使用頻度の一番低い紙幣の鑑別プログラム２２を消去し、上書きして保持する。同時に、受信した鑑別プログラム２２を、使用する鑑別プログラム２２に切換えてステップＳ１４へ進む。
【００５３】
以下、実施例１と同様に、ステップＳ１４の紙幣計数処理、ステップＳ１５のリジェクト紙幣有無判定処理、ステップＳ１６の返却紙幣受取画面表示処理、ステップＳ１７のリジェクト紙幣受取処理、ステップＳ１８の入金金額確認画面表示処理、ステップＳ１９の入金金額確認処理、ステップＳ２０の入金金額送受信処理、ステップＳ２１の明細票印字処理、ステップＳ２２のカード、明細票返却処理、及びステップＳ２３の終了処理が実行される。
【００５４】
（実施例２の効果）
本実施例２によれば、実施例１の効果に加え、次の効果がある。
【００５５】
（１）  ホストコンピュータ１からの鑑別プログラム２２の転送回数を減らすことができるので、取引処理時間が短縮される。
【００５６】
（２）  ホストコンピュータ１から、鑑別プログラム２２を受信したとき、使用頻度の低いプログラムに上書きすることで、鑑別プログラム２２の転送回数の削減、及びＡＴＭ１０Ａの記憶部３２の効率的な利用等が可能になる。
【実施例３】
【００５７】
（実施例３の構成）
図９は、本発明の実施例３におけるＡＴＭ１０Ｂの機能ブロック図であり、実施例２を示す図７中の要素と共通の要素には共通の符号が付されている。
【００５８】
本実施例３におけるＡＴＭ１０Ｂでは、実施例２のＡＴＭ１０Ａの構成とほぼ同様の構成であるが、制御部３１Ｂに、リジェクトされた紙幣を一時保留する一時保留手段３１ｅ及び一時保留された紙幣について、鑑別プログラム２２を用いて鑑別させる再鑑別手段３１ｆが追加されている点が異なっている。
【００５９】
（実施例３の動作）
図１０は、図９のＡＴＭにおける入金取引を示すフローチャートであり、実施例２を示す図８中の要素と共通の要素には共通の符号が付されている。
【００６０】
本実施例３では、偽券としてリジェクトした紙幣を利用者に返却せず、そのまま再計数する。
【００６１】
実施例２と同様のステップＳ１のカード挿入処理、ステップＳ２の取引選択画面表示処理、ステップＳ３の入金取引選択処理、ステップＳ４のＩＤ入力画面表示処理、ステップＳ５のＩＤ番号入力処理、照会電文送受信処理、ステップＳ７の取引取消判定処理、ステップＳ８の紙幣投入誘導画面表示処理、及びステップＳ９の紙幣投入処理が実行され、ステップＳ４１へ進む。
【００６２】
ステップＳ４１において、当該の入金取引で紙幣の計数がすでに行われたか否かが判定される。紙幣の計数が行われていないときは（Ｎｏ）、ステップＳ１４へ進み、紙幣の計数がすでに行われているときは（Ｙｅｓ）、ステップＳ４２へ進む。
【００６３】
ステップＳ４２において、リジェクトされた紙幣に合致した鑑別プログラム２２にて再計数を行うため、リジェクト時に取得した紙幣の情報から、紙幣サイズや特徴等の簡易判別を行い、最も近いと思われる紙幣を特定する。ステップＳ４３において、特定された紙幣の計数が済んでいるか否かが判定される。計数済みのときは（Ｙｅｓ）、ステップＳ４４へ進み、２度目のリジェクトなので、返却紙幣受取画面を表示し、利用者に当該の外国紙幣の受取を促す。ステップＳ４５において、利用者によりリジェクト紙幣が受け取られ、ステップＳ１８へ進み、正常入力の紙幣のみを入金する処理を行う。
【００６４】
ステップ４３での判定結果が、計数済みでないときは（Ｎｏ）、ステップＳ３１へ進む。実施例２と同様のステップＳ３１の鑑別プログラム２２の有無判定処理、ステップＳ３２の鑑別プログラム２２切り替え処理、ステップＳ１２のホストコンピュータ１への鑑別プログラム２２の要求処理、ステップＳ３３の鑑別プログラム２２の受信及び上書き処理、ステップＳ１４の紙幣計数処理、ステップＳ１５のリジェクト紙幣有無判定処理、ステップＳ１８の入金金額確認画面表示処理、ステップＳ１９の入金金額確認処理、ステップＳ２０の入金電文送受信処理、ステップＳ２１の明細票印字処理、及びステップＳ２２のカード、明細票返却処理が実行される。
【００６５】
ステップＳ１５において、リジェクト紙幣が検出されたときは、一時保留手段３１ｅにより、リジェクト紙幣を一時保留部３７に保留してもよいし、一旦、一時保留部３７から搬送路３８を介して紙幣投入取出口１２に戻してもよい。その後、再鑑別手段３１ｆにより、ステップＳ４２，Ｓ４３，Ｓ３１，Ｓ１２，Ｓ３３，Ｓ１４の再鑑別が実行される。ステップＳ１４の計数処理において、リジェクト紙幣を計数するときは、一時保留部３７に保留されている紙幣を再計数してもよいし、一旦、紙幣投入取出口１２に戻された紙幣を再計数してもよい。
【００６６】
（実施例３の効果）
本実施例３によれば、実施例１及び実施例２の効果に加え、入金処理の途中でリジェクトされた紙幣について利用者による操作を必要としないで円紙幣と外国紙幣が混在した紙幣束の入金が可能となるので、利用者の利便性が高まる。
【００６７】
（変形例）
本発明は、上記実施例に限定されず、種々の利用形態や変形が可能である。この利用形態や変形例としては、例えば、次の（ａ）〜（ｃ）のようなものがある。
【００６８】
（ａ）  金融機関の店舗、コンビニエンスストア等に設置されるＡＴＭ１０，１０Ａ，１０Ｂの例で説明したがこれに限定されない。利用者による操作で取引を行う装置で、紙幣や硬貨を扱う装置であれば広く適用できる。例えば、駅などに設置される券売機、空港等に設置される航空券発行機、スーパーマーケットに設置されるセルフレジ、各種販売機、両替機等が考えられる。
【００６９】
（ｂ）  紙幣の例で説明したが、紙幣に限定されない。硬貨であっても同様に本発明の適用が可能である。
【００７０】
（ｃ）  入金取引の例で説明したが、出金取引や両替取引等の他の取引においても本発明の適用が可能である。
【符号の説明】
【００７１】
１                            ホストコンピュータ
２                            通信回線
１０，１０Ａ，１０Ｂ          ＡＴＭ
１１                          入力操作部
１２                          紙幣投入取出口
１３                          シャッタ
２０                          補助記憶装置
２１                          口座ファイル
２２                          鑑別プログラム
３１，３１Ａ，３１Ｂ          制御部
３１ａ                        鑑別手段
３１ｂ                        鑑別特定手段
３１ｃ                        要求手段
３１ｄ                        判定手段
３１ｅ                        一時保留手段
３１ｆ                        再鑑別手段
３２                          記憶部
３３                          通信部
３４                          カードリーダプリンタ部
３５                          紙幣入出金部
３６                          監視カメラ部
３７                          一時保留部
３８                          搬送路
【図１】
0005550871.tif 000002
【図２】
0005550871.tif 000003
【図３】
0005550871.tif 000004
【図４】
0005550871.tif 000005
【図５】
0005550871.tif 000006
【図６】
0005550871.tif 000007
【図７】
0005550871.tif 000008
【図８】
0005550871.tif 000009
【図９】
0005550871.tif 000010
【図１０】
0005550871.tif 000011